(57)【要約】【課題】撮影状況情報を表示する。【解決手段】地図情報を読み出して表示すると共に、表示された地図上の各撮影データの撮影位置に対応する位置に、撮影データの存在を示すマーク及び撮影データ番号を表示する。各位置におけるマークの数は、その位置での撮影枚数に相当する。また、同一撮影位置において異なる撮影日に撮影された撮影データについては、撮影データの存在を示すマークを撮影日毎に分けて表示する。【選択図】図６
2006262134.tif 000002
【特許請求の範囲】
【請求項１】
撮影画像の撮影位置を含む撮影状況情報を取得する取得手段と、
地図情報を記憶する記憶手段と、
前記記憶手段から地図情報を読み出して表示手段に表示させると共に、表示された地図上の前記撮影位置に対応する位置に前記撮影状況情報を表示させる表示制御手段と、
を備えたことを特徴とする撮影データ処理装置。
【請求項２】
前記撮影状況情報は、略同一の撮影位置で撮影された撮影画像の撮影枚数情報を含むことを特徴とする請求項１に記載の撮影データ処理装置。
【請求項３】
前記撮影状況情報は、前記撮影画像の撮影日時情報を含むことを特徴とする請求項１又は２に記載の撮影データ処理装置。
【請求項４】
請求項１〜３のいずれか一項に記載の撮影データ処理装置が搭載されていることを特徴とする撮影装置。
【請求項５】
コンピュータに、
撮影画像の撮影位置を含む撮影状況情報を取得する機能と、
記憶手段に記憶された地図情報を読み出して表示手段に表示させると共に、表示された地図上の前記撮影位置に対応する位置に前記撮影状況情報を表示させる機能と、
を実現させるためのプログラム。
【発明の詳細な説明】
【技術分野】
【０００１】
本発明は、撮影位置と共に記録された撮影データを処理する撮影データ処理装置、撮影装置及びプログラムに関する。
【背景技術】
【０００２】
近年、デジタルカメラ等の撮影装置は、急速に普及しつつある。また、撮影画像と共に撮影日時や撮影位置を記録することが広く行われている。例えば、カメラの位置を示す位置情報を各撮影画像に対応させて記録しておき、地図上に撮影位置を表示するようにした画像表示装置が提案されている（例えば、特許文献１参照。）。これにより、撮影位置を容易に特定することができる。
【特許文献１】特開平１０−３１９４９４号公報
【発明の開示】
【発明が解決しようとする課題】
【０００３】
しかし、特許文献１に記載の画像表示装置では、撮影位置を知ることはできるが、各撮影位置で撮影された画像の撮影枚数や撮影日時等の撮影状況を知ることはできなかった。
【０００４】
本発明は、上記の従来技術における問題に鑑みてなされたものであって、撮影状況情報を表示することができる撮影データ処理装置、撮影装置及びプログラムを提供することを課題とする。
【課題を解決するための手段】
【０００５】
請求項１に記載の発明の撮影データ処理装置は、
撮影画像の撮影位置を含む撮影状況情報を取得する取得手段と、
地図情報を記憶する記憶手段と、
前記記憶手段から地図情報を読み出して表示手段に表示させると共に、表示された地図上の前記撮影位置に対応する位置に前記撮影状況情報を表示させる表示制御手段と、
を備えたことを特徴とする。
【０００６】
請求項４に記載の発明の撮影装置は、
請求項１〜３のいずれか一項に記載の撮影データ処理装置が搭載されていることを特徴とする。
【０００７】
請求項５に記載の発明は、
コンピュータに、
撮影画像の撮影位置を含む撮影状況情報を取得する機能と、
記憶手段に記憶された地図情報を読み出して表示手段に表示させると共に、表示された地図上の前記撮影位置に対応する位置に前記撮影状況情報を表示させる機能と、
を実現させるためのプログラムである。
【発明の効果】
【０００８】
請求項１、５に記載の発明によれば、地図を表示すると共に、表示された地図上の撮影位置に対応する位置に撮影状況情報を表示することができる。したがって、ユーザは、撮影画像の撮影位置を含む撮影状況情報を認識することができる。
【０００９】
請求項２に記載の発明によれば、表示された地図上の撮影位置に対応する位置に、略同一の撮影位置で撮影された撮影画像の撮影枚数情報を表示することができる。
【００１０】
請求項３に記載の発明によれば、表示された地図上の撮影位置に対応する位置に、撮影画像の撮影日時情報を表示することができる。
【００１１】
請求項４に記載の発明によれば、撮影装置において、表示された地図上の撮影位置に対応する位置に撮影状況情報を表示することができる。
【発明を実施するための最良の形態】
【００１２】
［第１の実施の形態］
以下、本発明の第１の実施の形態について詳細に説明する。
図１は、デジタルカメラ１０の機能的構成を示すブロック図である。図１に示すように、デジタルカメラ１０は、ＣＰＵ（Central Processing Unit）１１、入力部１２、表示部１３、ＲＡＭ（Random Access Memory）１４、通信制御部１５、撮像部１６、時計部１７、ＧＰＳモジュール１８、記録部１９、記録媒体駆動部２０等を備えて構成されており、各部はバス２１により接続されている。
【００１３】
ＣＰＵ１１は、記録部１９に記憶されているシステムプログラムを読み出し、ＲＡＭ１４内に形成されたワークエリアに展開し、該システムプログラムに従って各部を制御する。また、ＣＰＵ１１は、記録部１９に記憶されている各種処理プログラムを読み出してワークエリアに展開し、各種処理を実行する。
【００１４】
入力部１２は、電源ボタン、撮影を指示するためのシャッターボタン、撮影に関する各種設定ボタン等を備え、その各操作に応じた操作信号をＣＰＵ１１に出力する。
【００１５】
表示部１３は、ＬＣＤ（Liquid Crystal Display）等のモニタにより構成され、ＣＰＵ１１から入力される表示信号の指示に従って、撮影しようとする画像及び撮影された画像等を表示画面上に表示する。
【００１６】
ＲＡＭ１４は、ＣＰＵ１１によって実行される各種プログラム及びこれらプログラムに係るデータを一時的に記憶するワークエリアを形成する。
【００１７】
通信制御部１５は、通信用ケーブル等により外部の電子機器、例えば、ＰＣ（Personal Computer）等と接続され、画像データ等の送受信を制御する。なお、外部機器との接続は、赤外線や無線等の無線接続であってもよい。
【００１８】
撮像部１６は、レンズ、絞り、ＣＣＤ（Charge Coupled Device）、Ａ／Ｄ変換回路（いずれも図示せず）等を備える。レンズを通過した被写体像はＣＣＤ上に結像され、ＣＣＤにより電気信号に変換される。そして、ＣＣＤにより出力された電気信号は、Ａ／Ｄ変換回路によりＡ／Ｄ変換され、デジタル画像データとして記録部１９又は記録媒体２０ａに記録される。
【００１９】
時計部１７は、日付を含む現在時刻（以下、撮影日時情報という。）を計時し、撮影日時情報をＣＰＵ１１に出力する。
【００２０】
ＧＰＳ（Global Positioning System）モジュール１８は、ＧＰＳ衛星から送信された電波を受信することにより経度・緯度等の位置情報（以下、撮影位置情報という。）を算出し、撮影位置情報をＣＰＵ１１に出力する。
【００２１】
記録部１９は、フラッシュメモリ等の不揮発メモリ等により構成され、デジタルカメラ１０に対応するシステムプログラム、及び該システムプログラム上で実行可能な各種処理プログラム、アプリケーションプログラム及びこれらのプログラムで処理されたデータ等を記録する。
【００２２】
記録媒体駆動部２０は、装着された記録媒体２０ａに対してデータを記録したり、既に記録されているデータを読み出して再生したりするための駆動回路である。装着される記録媒体２０ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードを用いることができ、これらの各種カードのいずれか又は複数のカードに応じた記録媒体駆動部２０が設けられている。
【００２３】
記録媒体２０ａには、デジタルカメラ１０により撮影された撮影画像データ（以下、撮影データという。）が記録される。図２に、撮影データの構成を示す。図２に示すように、画像データ（Data１，Data２，Data３，…）と共に、時計部１７により計時された撮影日時情報、ＧＰＳモジュール１８により算出された撮影位置情報が記録される。例えば、撮影データ番号１の画像データData１は、２００４年８月２０日７時３０分に、東経×××度３３分００秒、北緯△△度００分００秒の位置で撮影されたデータである。
【００２４】
次に、図３を参照して、撮影データ処理装置としてのＰＣ３０の内部構成について説明する。
図３は、ＰＣ３０の機能的構成を示すブロック図である。図３に示すように、ＰＣ３０は、ＣＰＵ３１、入力部３２、表示部３３、ＲＡＭ３４、記録部３５、カードスロット３６、通信制御部３７等により構成されており、各部はバス３８により接続されている。
【００２５】
ＣＰＵ３１は、記録部３５に記憶されているシステムプログラムを読み出し、ＲＡＭ３４内に形成されたワークメモリに展開し、該システムプログラムに従って各部を制御する。また、ＣＰＵ３１は、記録部３５に記憶されている第１の撮影状況情報表示処理プログラム等の各種処理プログラム、各種アプリケーションプログラムを読み出してワークメモリに展開し、後述する第１の撮影状況情報表示処理（図４参照）を始めとする各種処理を実行し、それらの処理結果をＲＡＭ３４内のワークメモリに記憶すると共に表示部３３に表示させる。そして、ワークメモリに格納した処理結果を記録部３５内の指定の保存先に保存させる。
【００２６】
ＣＰＵ３１は、外部記憶装置４０から地図情報を読み出して表示部３３に表示させると共に、表示された地図上の撮影位置に対応する位置に撮影状況情報を表示させる。ここで、撮影状況情報とは、略同一の撮影位置で撮影された撮影データの撮影枚数情報、撮影データの撮影日時情報、撮影位置情報等の情報をいう。なお、略同一の撮影位置とは、連続して撮影された撮影データのうち、経度・緯度の差が共に予め定められた値（例えば、経度・緯度について１分等）以内である場合をいう。撮影状況情報の表示方法としては、文字又は数字による表示に限らず、撮影枚数や異なる撮影日時を認識可能な表示であれば、どのような方法を用いてもよい。
【００２７】
入力部３２は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ３１に出力する。
【００２８】
表示部３３は、ＬＣＤやＣＲＴ（Cathode Ray Tube）等により構成され、ＣＰＵ３１から入力される表示信号の指示に従って、表示画面上に各種画面を表示する。
【００２９】
ＲＡＭ３４は、バッファとしてＣＰＵ３１により実行されるシステムプログラム、各種処理プログラム、アプリケーションプログラム、各処理において処理中のデータ、処理結果等を一時的に記憶するワークエリアを形成する。
【００３０】
記録部３５は、ＰＣ３０に対応するシステムプログラム、第１の撮影状況情報表示処理プログラム等の各種処理プログラム、各種アプリケーションプログラム、各種データ等が予め記録されており、この記録部３５は、磁気的、光学的記録媒体、若しくは半導体メモリ等、ＣＰＵ３１で読み取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、この記録媒体に格納するプログラム、データ等は、その一部若しくは全部をサーバやクライアントからＷＡＮ（Wide Area Network）、ＬＡＮ（Local Area Network）等のネットワークを介して通信制御部３７から受信する構成にしてもよく、さらに、記録媒体はネットワーク上に構築されたサーバやクライアントの記録媒体であってもよい。記録部３５は、記録媒体２０ａから読み出した撮影データや、外部記憶装置４０から読み出した地図情報を記憶する。
【００３１】
カードスロット３６は、装着された記録媒体２０ａに対して、データの記録や、既に記録されているデータの読み出しを行う。
【００３２】
通信制御部３７は、通信用ケーブル等により接続された外部の電子機器と通信を行う。例えば、通信制御部３７は、ＵＳＢケーブルにより接続されたデジタルカメラ１０から撮影データを受信する。また、通信制御部３７は、ＤＶＤ（Digital Versatile Disk）等の外部記憶装置４０に記憶されている地図情報を受信する。なお、外部機器との接続は、赤外線や無線等の無線接続であってもよい。
【００３３】
次に、動作について説明する。
図４は、ＰＣ３０のＣＰＵ３１により実行される第１の撮影状況情報表示処理を示すフローチャートである。当該処理は、ＣＰＵ３１と記録部３５に記憶されている第１の撮影状況情報表示処理プログラムとの協働によるソフトウェア処理により実現される処理である。
【００３４】
まず、カードスロット３６に装着された記録媒体２０ａから撮影データが読み出され、画像データと共に撮影日時情報及び撮影位置情報が取得される（ステップＳ１）。撮影データは、ＵＳＢケーブルにより接続されたデジタルカメラ１０から受信することとしてもよい。
【００３５】
次に、撮影データの撮影位置情報に基づいて、略同一の撮影位置で撮影された撮影データ同士がグループに分けられる（ステップＳ２）。図５に示すように、撮影位置情報に基づいて、撮影データの撮影位置がＡ地点〜Ｆ地点の各グループに分けられる。例えば、Ａ地点は集合場所、Ｂ地点は遊園地、Ｃ地点は宿泊地、Ｄ地点は動物公園、Ｅ地点はバーベキュー場、Ｆ地点はファミリーレストランの位置を示している。
【００３６】
次に、撮影データの撮影位置情報に基づいて、撮影が行われた経度の範囲（max，min）及び緯度の範囲（max，min）が求められる。そして、求められた経度の範囲及び緯度の範囲に基づいて、通信制御部３７により外部記憶装置４０から全ての撮影位置が含まれる範囲の地図情報が読み出され、記録部３５に記憶される。そして、地図情報に基づいて、表示部３３に地図が表示され、各撮影位置に対応する位置にグループ名（Ａ地点〜Ｆ地点）が表示される（ステップＳ３）。この場合、地図情報は表示部３３の表示領域に合うようにサイズが縮小、または拡大されて表示される。
【００３７】
次に、撮影順序を示す撮影データ番号をＮとして、Ｎ＝１に設定される（ステップＳ４）。
【００３８】
次に、Ｎ番目の撮影データの経度及び緯度が前回（Ｎ−１番目）の撮影データの経度及び緯度と異なる場合（前回の撮影データが存在しない場合も含む。）には（ステップＳ５；ＮＯ）、Ｎ番目の撮影データの撮影位置情報に基づいて、地図上のＮ番目の撮影データが撮影された撮影位置に対応する位置に、撮影データの存在を示すマーク及び撮影データ番号が表示される（ステップＳ６）。
【００３９】
例えば、図５に示す１番目の撮影データの場合、前回の撮影データが存在しないため、図６に示すように、地図上の１番目の撮影データが撮影された経度・緯度の位置（Ａ地点）に、撮影データの存在を示すマークが表示され、撮影データ番号１が表示される。また、２番目の撮影データは、１番目の撮影データの経度及び緯度と異なるため、地図上の２番目の撮影データが撮影された経度・緯度の位置（Ｂ地点）に、撮影データの存在を示すマークが表示され、撮影データ番号２が表示される。
【００４０】
ステップＳ５において、Ｎ番目の撮影データの経度及び緯度が前回の撮影データの経度及び緯度と同じ場合には（ステップＳ５；ＹＥＳ）、Ｎ番目の撮影データの撮影日が前回の撮影データの撮影日と同じであるか否かが判断される（ステップＳ７）。Ｎ番目の撮影データの撮影日が前回の撮影データの撮影日と同じ場合には（ステップＳ７；ＹＥＳ）、前回の撮影データの存在を示すマークの位置に重ねて、Ｎ番目の撮影データの存在を示すマークが表示される（ステップＳ８）。
【００４１】
例えば、図５に示す３番目〜６番目の撮影データは、２番目の撮影データと同じ撮影位置で同じ撮影日に撮影されているため、図６に示すように、Ｂ地点の２番目の撮影データの存在を示すマークに、３番目〜６番目の撮影データの存在を示すマークが重ねて表示される。
【００４２】
ステップＳ７において、Ｎ番目の撮影データの撮影日が前回の撮影データの撮影日と異なる場合には（ステップＳ７；ＮＯ）、前回の撮影データの存在を示すマークの隣の位置に、Ｎ番目の撮影データの存在を示すマークが表示される（ステップＳ９）。
【００４３】
例えば、図５に示すように、Ｃ地点では３枚の画像が撮影されたが、７，８番目の撮影データは８月２０日に、９番目の撮影データは８月２１日に、２日間に分けて撮影されたため、図６に示すように、撮影データの存在を示すマークが撮影日毎に分けて表示される。
【００４４】
次に、Ｎ番目の撮影データが最終データでない場合には（ステップＳ１０；ＮＯ）、Ｎの値に１を加え（ステップＳ１１）、ステップＳ５に戻る。Ｎ番目の撮影データが最終データである場合には（ステップＳ１０；ＹＥＳ）、処理が終了する。
【００４５】
入力部３２を介して、各撮影データの存在を示すマークを選択することにより、選択された撮影データの画像が表示部３３の画面上に表示されることとする。
【００４６】
以上説明したように、第１の実施の形態におけるＰＣ３０では、撮影範囲を含む地図が表示部３３に表示され、地図上の撮影位置に対応する位置に、各撮影位置で撮影された撮影枚数がわかるように、撮影データの存在を示すことができる。図６に示す例では、Ａ地点で１枚、Ｂ地点で５枚、Ｃ地点で３枚、Ｄ地点で１１枚、Ｅ地点で６枚、Ｆ地点で２枚撮影されたことがわかる。また、撮影データ番号や撮影地点のグループ名を表示することにより、撮影順序を示すことができる。また、異なる撮影日に撮影された撮影データについては、撮影日を区別して表示することができる。したがって、ユーザは、撮影データの撮影位置だけでなく、撮影枚数や撮影日等の撮影状況情報を認識することができる。
【００４７】
なお、図７（ａ）に示すように、ステップＳ６、８、９（以下に示す表示の処理も同様）で撮影データ番号と共にその地点で撮影された撮影枚数を表示してもよいし、図７（ｂ）に示すように、撮影データ番号と共に撮影日を表示してもよいし、図７（ｃ）に示すように、撮影データ番号と共にその地点で撮影された撮影枚数及び撮影日を表示してもよい。また、撮影日だけでなく、撮影時刻まで表示することとしてもよい。また、異なる日付にまたがって撮影された場合に、図６のように撮影日毎に分けて表示してもよいが、図７（ｄ）に示すように、撮影データの存在を示すマークの線種を変えて異なる撮影日であることを示してもよい。また、表示されるマークの色を変えることにより異なる撮影日であることを示してもよい。
【００４８】
［第２の実施の形態］
次に、本発明を適用した第２の実施の形態を詳細に説明する。
第２の実施の形態に示すデジタルカメラは、第１の実施の形態に示したデジタルカメラ１０と同様の構成であるため、同一の構成部分については同一の符号を付し、その構成については説明を省略する。また、第２の実施の形態に示すＰＣは、第１の実施の形態に示したＰＣ３０と同様の構成であるため、同一の構成部分については同一の符号を付し、その構成については説明を省略する。以下、第２の実施の形態に特徴的な構成及び処理について説明する。
【００４９】
第２の実施の形態のデジタルカメラでは、後にＰＣ等の撮影データ処理装置において撮影データの存在を示すマークを表示するか否かを選択可能とする。また、デジタルカメラにおいて画像が修正された場合には、画像が修正されたことを示す情報、及び修正された画像データを記録媒体２０ａに記録する。
【００５０】
次に、デジタルカメラの動作について説明する。
図８は、第２の実施の形態のデジタルカメラのＣＰＵ１１により実行される表示／非表示設定処理を示すフローチャートである。当該処理は、ＣＰＵ１１と記録部１９に記憶されている表示／非表示設定処理プログラムとの協働によるソフトウェア処理により実現される処理である。
【００５１】
図８に示すように、撮影データに対して、撮影データの存在を示すマークを表示するか否かを示す表示／非表示フラグの変更がある場合には（ステップＳ２１；ＹＥＳ）、ユーザにより、入力部１２を介して表示させたくない撮影データが指定される（ステップＳ２２）。そして、指定された撮影データの表示／非表示フラグが「１：非表示」に設定される（ステップＳ２３）。
【００５２】
この非表示設定は、撮影データの削除に相当するが、画像データは保存されていることとし、非表示に設定されている撮影データを指定して、復活させることも可能である。
【００５３】
図９は、第２の実施の形態のデジタルカメラのＣＰＵ１１により実行される画像修正処理を示すフローチャートである。当該処理は、ＣＰＵ１１と記録部１９に記憶されている画像修正処理プログラムとの協働によるソフトウェア処理により実現される処理である。
【００５４】
図９に示すように、撮影データに対して、画像修正を行う場合には（ステップＳ３１；ＹＥＳ）、ユーザにより、入力部１２を介して修正対象となる撮影データが指定される（ステップＳ３２）。そして、表示部１３に修正対象となる撮影データの画像が表示され（ステップＳ３３）、コントラスト調整等の画像修正が行われる（ステップＳ３４）。
【００５５】
次に、修正された撮影データの画像修正フラグが「１：有」に設定され（ステップＳ３５）、修正された画像データが記録媒体２０ａに記録される（ステップＳ３６）。
【００５６】
図１０に、表示／非表示設定処理及び画像修正処理が行われた後の撮影データの構造を示す。図１０に示す例では、撮影データ番号３，４，２６，２７の撮影データに対して、撮影データの存在を示すマークを表示させないよう設定されている。また、撮影データ番号５，６，２１，２２の撮影データは、画像修正済みであり、修正された画像データ（改Data５，改Data６，改Data２１，改Data２２）が記録されている。
【００５７】
次に、ＰＣの動作について説明する。
図１１は、第２の実施の形態のＰＣのＣＰＵ３１により実行される第２の撮影状況情報表示処理を示すフローチャートである。当該処理は、ＣＰＵ３１と記録部３５に記憶されている第２の撮影状況情報表示処理プログラムとの協働によるソフトウェア処理により実現される処理である。
【００５８】
まず、カードスロット３６に装着された記録媒体２０ａから撮影データが読み出され、画像データ（修正画像データを含む。）と共に撮影日時情報、撮影位置情報、表示／非表示フラグ情報及び画像修正フラグ情報が取得される（ステップＳ４１）。撮影データは、ＵＳＢケーブルにより接続されたデジタルカメラから受信することとしてもよい。
【００５９】
次に、撮影データの撮影位置情報に基づいて、略同一の撮影位置で撮影された撮影データ同士がグループに分けられる（ステップＳ４２）。
【００６０】
次に、撮影データの撮影位置情報に基づいて、撮影が行われた経度の範囲及び緯度の範囲が求められる。そして、求められた経度の範囲及び緯度の範囲に基づいて、通信制御部３７により外部記憶装置４０から全ての撮影位置が含まれる範囲の地図情報が読み出され、記録部３５に記憶される。そして、地図情報に基づいて、表示部３３に地図が表示され、各撮影位置に対応する位置にグループ名（Ａ地点〜Ｆ地点）が表示される（ステップＳ４３）。
【００６１】
次に、撮影データ番号をＮとして、Ｎ＝１に設定される（ステップＳ４４）。
【００６２】
ここで、Ｎ番目の撮影データの表示／非表示フラグが「０：表示」でない場合、すなわち、「１：非表示」に設定されている場合には（ステップＳ４５；ＮＯ）、Ｎ番目の撮影データの存在を示すマークは表示されず、ステップＳ５３に移行する。
【００６３】
図１０に示す撮影データ番号３，４，２６，２７の撮影データは、表示／非表示フラグが「１：非表示」に設定されているので、図１２に示すように、表示部３３に表示される地図上には、撮影データ番号３，４，２６，２７の撮影データの存在を示すマークは表示されない。
【００６４】
Ｎ番目の撮影データの表示／非表示フラグが「０：表示」の場合には（ステップＳ４５；ＹＥＳ）、Ｎ番目の撮影データの経度及び緯度と、前回（Ｎ−１番目）の撮影データの経度及び緯度とが比較される（ステップＳ４６）。Ｎ番目の撮影データの経度及び緯度が前回（Ｎ−１番目）の撮影データの経度及び緯度と異なる場合（前回の撮影データが存在しない場合も含む。）には（ステップＳ４６；ＮＯ）、Ｎ番目の撮影データの撮影位置情報に基づいて、地図上のＮ番目の撮影データが撮影された撮影位置に対応する位置に、撮影データの存在を示すマーク及び撮影データ番号が表示される（ステップＳ４７）。
【００６５】
ステップＳ４６において、Ｎ番目の撮影データの経度及び緯度が前回の撮影データの経度及び緯度と同じ場合には（ステップＳ４６；ＹＥＳ）、Ｎ番目の撮影データの撮影日が前回の撮影データの撮影日と同じであるか否かが判断される（ステップＳ４８）。Ｎ番目の撮影データの撮影日が前回の撮影データの撮影日と同じ場合には（ステップＳ４８；ＹＥＳ）、前回の撮影データの存在を示すマークの位置に重ねて、Ｎ番目の撮影データの存在を示すマークが表示される（ステップＳ４９）。
【００６６】
ステップＳ４８において、Ｎ番目の撮影データの撮影日が前回の撮影データの撮影日と異なる場合には（ステップＳ４８；ＮＯ）、前回の撮影データの存在を示すマークの隣の位置に、Ｎ番目の撮影データの存在を示すマークが表示される（ステップＳ５０）。
【００６７】
ここで、Ｎ番目の撮影データの画像修正フラグが「１：有」に設定されている場合には（ステップＳ５１；ＹＥＳ）、ステップＳ４７、Ｓ４９、Ｓ５０で表示されたＮ番目の撮影データのマークの色が赤に変更される（ステップＳ５２）。
【００６８】
図１０に示す撮影データ番号５，６，２１，２２の撮影データは、画像修正フラグが「１：有」に設定されているので、図１２に示すように、表示部３３に表示される地図上において、撮影データ番号５，６，２１，２２の撮影データの存在を示すマークが赤色で表示される。なお、図１２では、赤色を網点パターンで表している。
【００６９】
次に、Ｎ番目の撮影データが最終データでない場合には（ステップＳ５３；ＮＯ）、Ｎの値に１を加え（ステップＳ５４）、ステップＳ４５に戻る。Ｎ番目の撮影データが最終データである場合には（ステップＳ５３；ＹＥＳ）、処理が終了する。
【００７０】
以上説明したように、第２の実施の形態におけるデジタルカメラでは、ＰＣ等の撮影データ処理装置において撮影データの存在を示すマークを表示するか否かを選択することができる。また、画像修正を行う場合には、画像が修正されたことを示す情報、及び修正された画像データを記録することができる。
【００７１】
ＰＣでは、各撮影データの表示／非表示フラグに基づいて、表示／非表示フラグが「０：表示」の場合には、表示部３３に表示される地図上の撮影位置に撮影データの存在を示すマークを表示し、「１：非表示」の場合には、撮影データの存在を示すマークを表示しない。また、画像修正フラグに基づいて、画像修正の有無を示すことができる。
【００７２】
第２の実施の形態では、デジタルカメラにおいて表示／非表示設定処理及び画像修正処理が行われる場合について説明したが、ＰＣにおいて撮影データの削除や画像修正を行うこととしてもよい。
【００７３】
なお、上記各実施の形態における記述は、本発明に係る撮影データ処理装置の例であり、これに限定されるものではない。デジタルカメラ及びＰＣを構成する各部の細部構成及び細部動作に関しても本発明の趣旨を逸脱することのない範囲で適宜変更可能である。
【００７４】
上記各実施の形態では、デジタルカメラにより撮影された撮影データに基づいて、ＰＣにて撮影状況情報を表示する場合について説明したが、デジタルカメラ等の撮影装置内で第１の撮影状況情報表示処理又は第２の撮影状況情報表示処理を行い、撮影装置の表示部において地図上の撮影位置に対応する位置に撮影状況情報を表示することとしてもよい。
【００７５】
また、デジタルカメラ又はＰＣから撮影データをサーバ装置に送信し、サーバ装置内で、地図上に撮影状況情報が表示された表示用データを作成することとしてもよい。そして、この表示用データをデジタルカメラ又はＰＣに送り返して、デジタルカメラ又はＰＣの表示部において表示させるようにしてもよい。
【００７６】
また、上記各実施の形態では、地図及び撮影状況情報をＬＣＤやＣＲＴ等のモニタに表示することとしたが、撮影状況情報が表示された地図を紙等の記録媒体に印刷することとしてもよい。
【図面の簡単な説明】
【００７７】
【図１】第１の実施の形態のデジタルカメラ１０の機能的構成を示すブロック図である。
【図２】撮影データの構成を示す図である。
【図３】第１の実施の形態のＰＣ３０の機能的構成を示すブロック図である。
【図４】第１の撮影状況情報表示処理を示すフローチャートである。
【図５】撮影位置のグループ分け、及び撮影が行われた経度・緯度の範囲を説明するための図である。
【図６】第１の撮影状況情報表示処理における撮影状況情報の表示例である。
【図７】撮影状況情報の表示方法の他の例である。
【図８】表示／非表示設定処理を示すフローチャートである。
【図９】画像修正処理を示すフローチャートである。
【図１０】表示／非表示設定処理及び画像修正処理が行われた後の撮影データの構造を示す図である。
【図１１】第２の撮影状況情報表示処理を示すフローチャートである。
【図１２】第２の撮影状況情報表示処理における撮影状況情報の表示例である。
【符号の説明】
【００７８】
１０  デジタルカメラ
１１  ＣＰＵ
１２  入力部
１３  表示部
１４  ＲＡＭ
１５  通信制御部
１６  撮像部
１７  時計部
１８  ＧＰＳモジュール
１９  記録部
２０  記録媒体駆動部
２０ａ  記録媒体
２１  バス
３０  ＰＣ
３１  ＣＰＵ
３２  入力部
３３  表示部
３４  ＲＡＭ
３５  記録部
３６  カードスロット
３７  通信制御部
３８  バス
４０  外部記憶装置
【図１】
2006262134.tif 000003
【図２】
2006262134.tif 000004
【図３】
2006262134.tif 000005
【図４】
2006262134.tif 000006
【図５】
2006262134.tif 000007
【図６】
2006262134.tif 000008
【図７】
2006262134.tif 000009
【図８】
2006262134.tif 000010
【図９】
2006262134.tif 000011
【図１０】
2006262134.tif 000012
【図１１】
2006262134.tif 000013
【図１２】
2006262134.tif 000014